(57)【特許請求の範囲】
【請求項１】
脚立を構成する支柱を、外管に内管を摺動自在に挿入して伸縮自在に形成し、同支柱の下端部にそれぞれ取付けられ、脚立を折り畳んだ際に当接する両下端具の内の一方の下端具の他方の下端具に当接する面、及び他方の下端具の一方の下端具に当接する面に、それぞれ脚立を折り畳んだ際に縦及び横方向の相対的なずれを防止する嵌合部を形成し、この嵌合部は、一方の下端具に形成した凸部、及び他方の下端具に前記凸部が嵌入可能に形成した凹部で構成したことを特徴とする脚立支柱の下端具。
【請求項２】
上記凸部（３１）と凹部（３２）とが上下方向に伸延した略長円形状であることを特徴とする請求項１記載の脚立支柱の下端具。
【請求項３】
脚立を構成する支柱を、外管に内管を摺動自在に挿入して伸縮自在に形成し、同支柱の下端部にそれぞれ取付けられ、脚立を折り畳んだ際に当接する両下端具の内の一方の下端具の他方の下端具に当接する面、及び他方の下端具の一方の下端具に当接する面に、それぞれ脚立を折り畳んだ際に縦及び横方向の相対的なずれを防止する嵌合部を形成し、この嵌合部は、前記一方の下端具の前記当接する面に、同当接面の中心を通る縦方向の直線に関する対称位置の一方に凸部を、他方に凹部を形成し、前記他方の下端具の前記当接する面に、前記一方の下端具の凸部が嵌入する凹部、及び前記一方の下端具の凹部に嵌入する凸部を形成して構成したことを特徴とする脚立支柱の下端具。
【発明の詳細な説明】
【０００１】
【産業上の利用分野】
本発明は脚立支柱の下端具に関する。
【０００２】
【従来の技術】
従来、脚立は、図１３で示すように、支柱ａ，ａ  と横木とで２個の梯子体ｂ，ｂ  を形成して、これらの梯子体ｂ，ｂ  同志の上端部を連結金具ｃ，ｃ  と枢軸ｄを介して回動自在に連結して、折畳み可能の脚立ｅを構成している。
【０００３】
そして、上記支柱ａ，ａ  の下端部を、合成樹脂等で形成した上面開口の下端具ｆ，ｆ  に挿入して、支柱の下端が滑ったり、変形したり、床等を傷つけたりするのを防止している。
【０００４】
そして、図１４で示すように、脚立ｅを折り畳んだ際に対向して当接する下端具ｆ，ｆ  に、縦方向の突条ｇと条溝ｈよりなる係合部ｊを形成して、脚立を折畳んで梯子体ｂ，ｂ  を重ね合わせたとき、上記係合部ｊの突条ｇと条溝ｈとが係合して、支柱ａ，ａ  が互いに横ずれするのを防止して、収納時の収まりや取扱いをよくしている。
【０００５】
【発明が解決しようとする課題】
ところが、上記係合部ｊが突条ｇと条溝ｈとで形成されているために、支柱ａ，ａ  が伸縮可能の脚立の場合は、縦方向のずれを防止することができず、そのため、図１５で示すように、一方の支柱ａが伸びて収納状態での収まりが悪くなりやすく、取扱いに不具合があるという問題があった。
【０００６】
【課題を解決するための手段】
本発明では、脚立を構成する支柱を、外管に内管を摺動自在に挿入して伸縮自在に形成し、同支柱の下端部にそれぞれ取付けられ、脚立を折り畳んだ際に当接する両下端具の内の一方の下端具の他方の下端具に当接する面、及び他方の下端具の一方の下端具に当接する面に、それぞれ脚立を折り畳んだ際に縦及び横方向の相対的なずれを防止する嵌合部を形成し、この嵌合部は、一方の下端具に形成した凸部、及び他方の下端具に前記凸部が嵌入可能に形成した凹部で構成したことを特徴とする脚立支柱の下端具を提供せんとするものである。
【０００７】
また、上記凸部と凹部とが上下方向に伸延した略長円形状であること、及び、前記嵌合部は、前記一方の下端具の前記当接する面に、同当接面の中心を通る縦方向の直線に関する対称位置の一方に凸部を、他方に凹部を形成し、前記他方の下端具の前記当接する面に、前記一方の下端具の凸部が嵌入する凹部、及び前記一方の下端具の凹部に嵌入する凸部を形成して構成したことにも特徴を有する。
【０００８】
【実施例】
本発明の実施例を図面を参照して説明する。
【０００９】
図１は、本発明に係る下端具を具備する脚立Ａを示しており、同脚立Ａは、梯子体１，１  の上端部にそれぞれ連結体２，２  を固着し、同連結体２，２  を枢軸３を介して回動自在に連結している。
【００１０】
梯子体１は、並設した２本の支柱４，４  と、同支柱４，４  の間に架設した複数の横木５とで、下部が拡幅した略台形状の梯子体１を構成されている。
【００１１】
上記支柱４，４  は、それぞれ略矩形断面管状の外管６と、同外管６の下端部に抜差し摺動自在に挿入した内管７とで構成されており、各外管６の下端部内側面に取付けたストッパ９で、内管７の抜差し摺動を固定又は解除することで、各支柱４，４  を伸縮及び固定自在にしている。
【００１２】
ストッパ９は、図２で示すように、外管６と横木５との交差部の上側隅角部に取付けた傾斜ガイド面１０を有するガイド体１１の内部に、上方向に付勢された略三角形状のストッパ本体１２を摺動自在に挿入して、ストッパ本体１２の小凹凸を形成した側面と、内管７の側面に形成された小凹凸を有する摩擦面１３との圧着により、上記内管７の抜差し摺動を固定して支柱４を伸縮自在にし、ストッパ本体１２に取付けたスライダ１４を下方向に移動させて、上記圧着を解除して内管７を抜差し自在にすることにより、脚立Ａの高さを変更できるようにしている。
【００１３】
そして、上記脚立Ａの各支柱４，の下端に、下端具Ｂ１，Ｂ２  を取付けており、同下端具Ｂ１，Ｂ２  は、合成樹脂等の射出成形可能な素材で、図３〜図１０で示すように、上面開口の略箱形状に形成されており、この開口部２０に前記内管７の下端を挿入できるようにしている。
【００１４】
また、図４及び図１０で示すように、開口部２０の内周面に縦方向のリブ２１を多数形成して、同リブ２１の上端面で内管７の下端面を支持させ、上記開口部２０の後内側面と右内側面とにそれぞれ係合突起２２，２２  を内側方向に突設すると共に、内管７の後側面と右側面とに、上記係合突起２２，２２  が嵌入可能の係合孔２３，２３  を形成して、同開口部２０に内管７を挿入するだけで、内管７に下端具Ｂ１，Ｂ２  を固定できるようにして、ブラインドリベット等での締結を要しないようにしている。
【００１５】
また、図３、図６、図７及び図１０で示すように、下端具Ｂ１，Ｂ２  の外底面２４を傾斜させると共に湾曲させて、傾斜した支柱４，４  の下端に取付けても、滑り止め用の凹条２５を多数形成した外底面２４が、水平な床面等に密着しやすいようにしている。
【００１６】
かかる下端具Ｂ１，Ｂ２  において、本発明では、脚立Ａを折り畳んだ際に対向状態で互いに当接する面に、それぞれ嵌合部３０を形成して当接した支柱４，４  下端部の縦及び横方向の相対的なずれを阻止するようにしている。
【００１７】
すなわち、図３〜図５及び図７〜図１１で示すように、一方の下端具Ｂ１の他方の下端具Ｂ２に対向する面に、側面視縦長略楕円形状で抜け勾配を有する凸部３１を形成し、他方の下端具Ｂ２の一方の下端具Ｂ１に対向する面に、上記凸部３１が嵌入可能の凹部３２を形成して、脚立Ａを折り畳んだ際に、上記凸部３１と凹部３２と嵌合して、支柱４，４  の長手方向及びこれと直交する方向の相対的なずれを阻止するようにしている。
【００１８】
上記のように、上記凸部３１と凹部３２とが上下方向に伸延した略長円形状であるから、凸部３１と凹部３２とが嵌合した際の接触面積が大きくなり、特に、大きな力がかかる横方向のずれに対する嵌合部分の接触面積が増加して、凸部３１及び凹部３２の摩耗を減少させてずれ防止機能を長持ちさせることができる。
【００１９】
なお、上記凸部３１と凹部３２とは、脚立Ａを折り畳んだ際に嵌合可能であれば、必ずしも長円形状である必要はなく、円形や矩形やその他の形状でもよい。
【００２０】
図１２は、嵌合部30を、下端具当接面の中心を通る縦方向の直線に関する対称位置の一方に凸部を形成し他方に凹部を形成した他の実施例を示しており、下端具B3の当接面を中央で交差する縦及び横方向の直線によって４分割し、上記４面のうち、向かって左上と右下との２面を突出させて凸部40,41 とし、他の２面を凹ませて凹部42,43 として、脚立Ａを折り畳んで下端具B3同士が当接した際に、対向する凸部40,41 と凹部42,43 とが嵌合して、下端具B3同士の縦横方向のずれを阻止するようにしている。
【００２１】
特に、凸部40と凹部43及び凸部41と凹部42とが、下端具当接面の中心を通る縦方向の直線に関して対称に配置されているので、同一形状の下端具B3同士を対向させても、上記凸部40,41 と凹部42,43 とを嵌合させることができる。
【００２２】
なお、上記凸部４０，４１  と凹部４２，４３  とは、下端具当接面の中心を通る縦方向の直線に関して対称に配置されているのであれば、必ずしも図示するような矩形状である必要はなく、円形やその他の形状が考えられる。
【００２３】
【発明の効果】
本発明によれば、脚立を構成する支柱を、外管に内管を摺動自在に挿入して伸縮自在に形成し、同支柱の下端部にそれぞれ取付けられ、脚立を折り畳んだ際に当接する両下端具の内の一方の下端具の他方の下端具に当接する面、及び他方の下端具の一方の下端具に当接する面に、それぞれ脚立を折り畳んだ際に縦及び横方向の相対的なずれを防止する嵌合部を形成し、この嵌合部は、一方の下端具に形成した凸部、及び他方の下端具に前記凸部が嵌入可能に形成した凹部で構成したことによって、下端具の縦及び横方向のずれを阻止する。これによって、脚立を構成する伸縮自在な支柱の下端部の縦及び横方向の相対的なずれが阻止され、折り畳み状態での脚立の収納状態を良くし、折り畳み状態での取扱いを容易にすることができる。
【００２４】
また、上記凸部と凹部とが上下方向に伸延した略長円形状であることによって、凸部と凹部とが嵌合した際の接触面積が大きくなり、特に、大きな力がかかる横方向のずれに対する嵌合部分の接触面積が増加して、凸部及び凹部の摩耗を減少させてずれ防止機能を長持ちさせることができる。
【００２５】
また、前記嵌合部は、前記一方の下端具の前記当接する面に、同当接面の中心を通る縦方向の直線に関する対称位置の一方に凸部を、他方に凹部を形成し、前記他方の下端具の前記当接する面に、前記一方の下端具の凸部が嵌入する凹部、及び前記一方の下端具の凹部に嵌入する凸部を形成して構成したことによって、各支柱に取付ける下端具が１種類ですむので、コストダウンをはかることができる。
【図面の簡単な説明】
【図１】本発明に係る下端具を具備する脚立の斜視図。
【図２】ストッパの断面説明図。
【図３】下端具の正面図。
【図４】下端具の平面図。
【図５】下端具の底面図。
【図６】下端具の左側面図。
【図７】下端具の右側面図。
【図８】下端具の背面図。
【図９】図４におけるＩ−Ｉ線による断面図。
【図１０】下端具の突部及び凹部を示す斜視図。
【図１１】下端具の嵌合状態を示す一部切欠側面図。
【図１２】他実施例下端具の斜視図。
【図１３】従来の下端具を具備する脚立の側面図。
【図１４】従来の下端具の斜視図。
【図１５】従来の下端具の嵌合状態を示す側面説明図。
【符号の説明】
Ａ  脚立
Ｂ１，Ｂ２    下端具
４  支柱
３１  凸部
３２  凹部
【図１】
0003590114.tif 000002
【図２】
0003590114.tif 000003
【図３】
0003590114.tif 000004
【図４】
0003590114.tif 000005
【図５】
0003590114.tif 000006
【図６】
0003590114.tif 000007
【図７】
0003590114.tif 000008
【図８】
0003590114.tif 000009
【図９】
0003590114.tif 000010
【図１０】
0003590114.tif 000011
【図１１】
0003590114.tif 000012
【図１２】
0003590114.tif 000013
【図１３】
0003590114.tif 000014
【図１４】
0003590114.tif 000015
【図１５】
0003590114.tif 000016